(57)【要約】【課題】放電セルどうしの干渉による上下方向のクロストークを抑制し、しかも排気のコンダクタンスを大きくすることにより、表示品位が良好で、かつ生産性・信頼性の高いプラズマディスプレイパネルを提供することを目的とする。【解決手段】基板間に放電空間が形成されるように対向配置した一対の前面側および背面側の基板と、前記背面側の基板に前記放電空間を仕切るように形成した隔壁２１とを有し、前記隔壁２１は前記放電セルを互いに分離するように格子状に形成するとともに、前記アドレス電極１０の長手方向の放電セル間に排気通路２２が設けられるように形成し、かつ前記隔壁２１の排気通路２２に面する部分にスリット２３を形成したもので、クロストークの発生を抑制し、かつ排気コンダクタンスを確保することができる。【選択図】　図１
2004071283.tif 000002
【特許請求の範囲】
【請求項１】
基板間に放電空間が形成されるように対向配置した一対の前面側および背面側の基板と、前記背面側の基板に前記放電空間を仕切るように形成した隔壁と、この隔壁間に放電セルが形成されるように前記前面側の基板に配列して形成した複数の表示電極と、この表示電極と前記放電セル部分においてほぼ直交するように前記背面側の基板に配列して形成した複数のアドレス電極と、隔壁間に形成されかつ前記電極間での放電により発光する蛍光体層とを有し、前記隔壁は前記放電セルを互いに分離するとともに、前記アドレス電極の長手方向の放電セル間に排気通路が設けられるように格子状に形成し、かつ前記隔壁の排気通路に面する部分にスリットを形成したことを特徴とするプラズマディスプレイパネル。
【請求項２】
排気通路は、アドレス電極の長手方向の放電セル間に１つおきに設けたことを特徴とする請求項１に記載のプラズマディスプレイパネル。
【請求項３】
隔壁に形成するスリットは、排気通路を介して隣り合う放電セルが同一の排気通路に連通するように形成したことを特徴とする請求項２に記載のプラズマディスプレイパネル。
【請求項４】
隔壁に形成するスリットは、排気通路を介して隣り合う放電セルが異なる排気通路に連通するように形成したことを特徴とする請求項１に記載のプラズマディスプレイパネル。
【請求項５】
隔壁に形成するスリットは、アドレス電極の配列方向に隣り合う放電セルが互いに異なる排気通路に連通するように形成したことを特徴とする請求項１に記載のプラズマディスプレイパネル。
【請求項６】
排気通路の放電セル間に隔壁より高さの低い壁を形成したことを特徴とする請求項１に記載のプラズマディスプレイパネル。
【請求項７】
隔壁は、アドレス電極の配列方向における形状を波線形状とし、その波線形状の隔壁をアドレス電極の長手方向に同一パターンで配列したことを特徴とする請求項１に記載のプラズマディスプレイパネル。
【発明の詳細な説明】
【０００１】
【発明の属する技術分野】
本発明は表示デバイスとして知られているプラズマディスプレイパネルに関するものである。
【０００２】
【従来の技術】
近年、双方向情報端末として大画面、壁掛けテレビへの期待が高まっている。そのための表示デバイスとして、液晶表示パネル、フィールドエミッションディスプレイ、エレクトロルミネッセンスディスプレイ等の数多くのものがあり、そのうちの一部は市販され、一部は開発中である。これらの表示デバイス中でもプラズマディスプレイパネル（以下、ＰＤＰという）は、自発光型で美しい画像表示ができ、大画面化が容易である等の理由から、ＰＤＰを用いたディスプレイは、視認性に優れた薄型表示デバイスとして注目されており、高精細化および大画面化が進められている。
【０００３】
このＰＤＰには、大別して、駆動的にはＡＣ型とＤＣ型があり、放電形式では面放電型と対向放電型の２種類があるが、高精細化、大画面化および製造の簡便性から、現状では、ＡＣ型で面放電型のＰＤＰが主流を占めるようになってきている。
【０００４】
図８にＰＤＰのパネル構造の一例を示しており、この図８に示すようにＰＤＰは、前面パネル１と背面パネル２とから構成されている。
【０００５】
前面パネル１は、フロート法による硼珪素ナトリウム系ガラス等からなるガラス基板などの透明な前面側の基板３上に、走査電極４と維持電極５とで対をなすストライプ状の表示電極６を複数対配列して形成し、そしてその表示電極６群を覆うように誘電体層７を形成し、その誘電体層７上にＭｇＯからなる保護膜８を形成することにより構成されている。なお、走査電極４および維持電極５は、それぞれ透明電極４ａ、５ａおよびこの透明電極４ａ、５ａに電気的に接続されたＣｒ／Ｃｕ／ＣｒまたはＡｇ等からなるバス電極４ｂ、５ｂとから構成されている。また、図示していないが、前記表示電極６間には、遮光膜としてのブラックストライプが表示電極６と平行に複数列形成されている。
【０００６】
また、背面パネル２は、前記前面側の基板３に対向配置される背面側の基板９上に、表示電極６と直交する方向にアドレス電極１０を形成するとともに、そのアドレス電極１０を覆うように誘電体層１１を形成し、そしてアドレス電極１０間の誘電体層１１上にアドレス電極１０と平行にストライプ状の複数の隔壁１２を形成するとともに、この隔壁１２間の側面および誘電体層１１の表面に蛍光体層１３を形成することにより構成されている。なお、カラー表示のために前記蛍光体層１３は、通常、赤、緑、青の３色が順に配置されている。
【０００７】
そして、これらの前面パネル１と背面パネル２とは、表示電極６とアドレス電極１０とが直交するように、微小な放電空間を挟んで基板３、９を対向配置するとともに、周囲を封着部材により封止し、そして前記放電空間にネオンおよびキセノンなどを混合してなる放電ガスを６６５００Ｐａ（５００Ｔｏｒｒ）程度の圧力で封入することによりパネルが構成されている。
【０００８】
このパネルの放電空間は、隔壁１２によって複数の区画に仕切られており、そしてこの隔壁１２間に発光画素領域となる複数の放電セルが形成されるように表示電極６が設けられるとともに、表示電極６とアドレス電極１０とが直交して配置されている。
【０００９】
すなわち、図９に示すように、走査電極４と維持電極５とを放電ギャップ１４を挟んで配列することにより表示電極６が形成され、この表示電極６と隔壁１２で囲まれた領域が発光画素領域１５となり、そして隣接する放電セルの表示電極６間は非発光領域１６となる。
【００１０】
このＰＤＰでは、アドレス電極、表示電極に印加される周期的な電圧によって放電を発生させ、この放電による紫外線を蛍光体層に照射して可視光に変換させることにより、画像表示が行われる。
【００１１】
次に、ＰＤＰに画像データを表示させる駆動方法について説明する。一般に、ＰＤＰにより表示駆動を行う場合、１フィールド期間を２進法に基づいた発光期間の重みを持った複数のサブフィールドに分割し、発光させるサブフィールドの組み合わせによって階調表示を行っている。また、各サブフィールドは初期化期間、アドレス期間および維持期間を有しており、画像データを表示するためには、初期化期間、アドレス期間および維持期間でそれぞれ異なる信号波形を各電極に印加している。
【００１２】
例えば、初期化期間には、すべての走査電極４に、維持電極５およびアドレス電極１０に対して正極性となるパルス電圧を印加し、保護膜８および蛍光体層１３上に壁電荷を蓄積する。アドレス期間では、すべての走査電極４に、順次負極性のパルスを印加することにより走査していく。表示データがある場合、走査電極４を走査している間に、アドレス電極１０に正極性のデータパルスを印加すると、走査電極４とアドレス電極１０との間で放電が起こり、走査電極４上の保護膜８の表面に壁電荷が形成される。続く維持期間では一定の期間、走査電極４と維持電極５との間に放電を維持するのに十分な電圧を印加することにより、走査電極４と維持電極５との間に放電プラズマが生成され、一定の期間、蛍光体層１３を励起発光させることにより、所定の画像表示が行われる。なお、アドレス期間において、データパルスが印加されなかった放電空間では、放電は発生せず蛍光体層１３の励起発光は起こらない。
【００１３】
【発明が解決しようとする課題】
以上説明したようなＰＤＰにおいては、縦方向に放電をさえぎるものがないため、放電セルどうしの間隔を小さくしたときに、上下の放電セルどうしが干渉してクロストークが発生し、画像品位を著しく低下させてしまうという問題が発生していた。
【００１４】
そこで、特開２００１−３１９５７９号公報のように、上下放電セル間に行方向に延びる横壁部を形成して隔壁を２層構造にし、クロストークの発生を抑制する構造が提案されている。しかし、このような隔壁構造を用いた場合でも、横壁部の上の隙間のために、上下方向のクロストークは完全にはなくならない。
【００１５】
一方、特開２００１−１３５２４０号公報では、縦壁部と横壁部を同じ高さとして上下方向の放電の干渉が生じるのを抑制している。しかし、この背面板の構造を用いた場合、表面板の構造を立体的なものにしなければ、放電セルが完全に仕切られてしまうために、排気コンダクタンスが大きくなってしまい、これにより、排気が困難になり、生産性および信頼性の観点から大きな問題となっていた。
【００１６】
本発明は、このような課題に鑑みなされたものであり、放電セルどうしの干渉による上下方向のクロストークを抑制し、しかも排気のコンダクタンスを大きくすることにより、表示品位が良好で、かつ生産性・信頼性の高いＰＤＰを提供することを目的とする。
【００１７】
【課題を解決するための手段】
この目的を達成するために本発明は、隔壁を前記放電セルを互いに分離するように格子状に形成するとともに、前記アドレス電極の長手方向の放電セル間に排気通路が設けられるように形成し、かつ前記隔壁の排気通路に面する部分にスリットを形成したものである。
【００１８】
【発明の実施の形態】
すなわち、本発明の請求項１に記載の発明は、基板間に放電空間が形成されるように対向配置した一対の前面側および背面側の基板と、前記背面側の基板に前記放電空間を仕切るように形成した隔壁と、この隔壁間に放電セルが形成されるように前記前面側の基板に配列して形成した複数の表示電極と、この表示電極と前記放電セル部分においてほぼ直交するように前記背面側の基板に配列して形成した複数のアドレス電極と、隔壁間に形成されかつ前記電極間での放電により発光する蛍光体層とを有し、前記隔壁は前記放電セルを互いに分離するように格子状に形成するとともに、前記アドレス電極の長手方向の放電セル間に排気通路が設けられるように形成し、かつ前記隔壁の排気通路に面する部分にスリットを形成したことを特徴とする。
【００１９】
また、請求項２に記載の発明は、請求項１において、排気通路は、アドレス電極の長手方向の放電セル間に１つおきに設けたことを特徴とし、請求項３に記載の発明は、請求項２において、隔壁に形成するスリットは、排気通路を介して隣り合う放電セルが同一の排気通路に連通するように形成したことを特徴とする。
【００２０】
また、請求項４に記載の発明は、請求項１において、隔壁に形成するスリットは、排気通路を介して隣り合う放電セルが異なる排気通路に連通するように形成したことを特徴とする。
【００２１】
また、請求項５に記載の発明は、請求項１において、隔壁に形成するスリットは、アドレス電極の配列方向に隣り合う放電セルが互いに異なる排気通路に連通するように形成したことを特徴とする。
【００２２】
また、請求項６に記載の発明は、請求項１において、排気通路の放電セル間に隔壁より高さの低い壁を形成したことを特徴とする。
【００２３】
また、請求項７に記載の発明は、請求項１において、隔壁は、アドレス電極の配列方向における形状を波線形状とし、その波線形状の隔壁をアドレス電極の長手方向に同一パターンで配列したことを特徴とする。
【００２４】
以下、本発明の一実施の形態によるＰＤＰについて、図１〜図７の図面を用いて説明する。なお、図１〜図７において、図８に示す部分と同一部分については同一番号を付している。
【００２５】
（実施の形態１）
図１は本発明の実施の形態１によるＰＤＰの放電セル構造を示す平面図、図２は隔壁の構造を示す拡大図である。
【００２６】
本発明によるＰＤＰも、図８に示すように前面パネル１と背面パネル２とから構成され、前面パネル１は、フロート法による硼珪素ナトリウム系ガラス等からなるガラス基板などの透明な前面側の基板３上に、走査電極４と維持電極５とで対をなすストライプ状の表示電極６を複数対配列して形成し、そしてその表示電極６群を覆うように誘電体層７を形成し、その誘電体層７上にＭｇＯからなる保護膜８を形成することにより構成されている。
【００２７】
一方、背面パネル２は、前記前面側の基板３に対向配置される背面側の基板９上に、表示電極６と直交する方向にアドレス電極１０を形成するとともに、そのアドレス電極１０を覆うように誘電体層１１を形成し、そして図１、図２に示すように、アドレス電極１０間の誘電体層１１上に複数の隔壁２１を形成するとともに、この隔壁２１間の側面および誘電体層１１の表面に蛍光体層１３を形成することにより構成されている。なお、カラー表示のために前記蛍光体層１３は、通常、赤、緑、青の３色が順に配置されている。
【００２８】
そして、これらの前面パネル１と背面パネル２とは、表示電極６とアドレス電極１０とが直交するように、微小な放電空間を挟んで基板３、９を対向配置するとともに、周囲を封着部材により封止し、そして前記放電空間にネオンおよびキセノンなどを混合してなる放電ガスを６６５００Ｐａ（５００Ｔｏｒｒ）程度の圧力で封入することによりパネルが構成されている。
【００２９】
このパネルの放電空間は、隔壁２１によって複数の区画に仕切られており、そしてこの隔壁２１間に発光画素領域となる複数の放電セルが形成されるように表示電極６が設けられるとともに、表示電極６とアドレス電極１０とが直交して配置されている。
【００３０】
ここで、本発明においては、前記隔壁２１は、前記放電セルを互いに分離するように、縦方向に延びる縦壁部２１ａと横方向に延びかつ縦壁部２１ａと同じ高さの横壁部２１ｂとからなる格子状であり、そして前記アドレス電極１０の長手方向の放電セル間に排気通路２２が設けられるように間隔を開けて形成されており、しかも前記隔壁２１の排気通路２２に面する横壁部２１ｂには、縦壁部２１ａと横壁部２１ｂとで囲まれた放電セル空間と排気通路２２とを結ぶスリット２３が形成されている。また、このスリット２３は、アドレス電極１０の配列方向に隣り合う放電セルが互いに異なる排気通路２２に連通するように互い違いに形成されている。
【００３１】
すなわち、本発明においては、図１、図２に示すように、縦方向に隣接する放電セル間には、縦壁部２１ａと同じ高さを持った横壁部２１ｂが存在するので、縦方向の隣接放電セル間の干渉をなくし、クロストークの発生を抑えることができる。さらに、各放電セル毎に排気通路２２につながるスリット２３が形成されているので、排気のコンダクタンスを大きくすることができ、これによって排気時間を短くすることができ、生産性の向上と信頼性を確保することができる。
【００３２】
（実施の形態２）
図３は本発明の実施の形態２によるＰＤＰの放電セル構造を示す平面図である。本実施の形態においては、排気通路２２は、アドレス電極１０の長手方向の放電セル間に１つおきに設け、隔壁２１の行間距離が一行おきに異なるように形成したもので、隔壁２１に形成するスリット２３は、排気通路２２を介して隣り合う放電セルが同一の排気通路２２に連通するように形成したものである。
【００３３】
すなわち、ＰＤＰの前面パネルにおいては、走査電極４と維持電極５が、垂直方向に一本ずつ交互に配列されているタイプのものと、２本ずつ交互に配列されているタイプのものがある。走査電極４と維持電極５とが２本ずつ交互に配列されたパネルにおいて、走査電極４が上に配置され、維持電極５が下に配置されたセルをＡＢセルと定義し、維持電極５が上に配置され、走査電極４が下に配置されたセルをＢＡセルと定義すると、ＡＢセルとＢＡセル間のクロストークとＢＡセルとＡＢセル間のクロストークでは、その程度が異なっている。このように、隣接セル間で交互にクロストークの程度が異なる前面パネルを用いる場合には、それに対応した背面パネルを組み合わせることが必要になるが、本実施の形態における隔壁構造は、走査電極４と維持電極５とが垂直方向に２本ずつ交互に配列されたような前面パネルを用いる場合に効果的である。
【００３４】
（実施の形態３）
図４は本発明の実施の形態３によるＰＤＰの放電セル構造を示す平面図である。本実施の形態においては、排気通路２２の放電セル間に隔壁２１より高さの低い壁２４を形成したものである。この構造によって、隔壁２１の縦壁部２１ａと横壁部２１ｂとで囲まれた空間内に蛍光体層１３を形成する際に、隔壁２１に設けたスリット２３を通して蛍光体材料が流れ出て、アドレス電極１０の配列方向に隣接する放電セルを形成する隔壁２１に流れ込むのを防ぐことができ、隣接する放電セル間での蛍光体の混在を防ぐことができる。なお、この壁２４の高さは、隔壁２１の高さよりも低く設定しているため、排気時のガスの通路も充分に確保することができる。
【００３５】
（実施の形態４）
図５は本発明の実施の形態４によるＰＤＰの放電セル構造を示す平面図である。本実施の形態においては、隔壁２１に形成するスリット２３は、排気通路２２を介して隣り合う放電セルが異なる排気通路２２に連通するように同じパターンで形成したもので、この構造によれば、斜め方向からのクロストークが問題になるようなパネル構成、駆動を用いるような場合に、有効な隔壁構造となる。
【００３６】
（実施の形態５）
図６は本発明の実施の形態５によるＰＤＰの放電セル構造を示す平面図である。本実施の形態においては、アドレス電極１０の配列方向における形状が波線形状の隔壁２５を、アドレス電極１０の長手方向に同一パターンで配列したもので、これによって隔壁２５の湾曲部２５ａが互い違いに配列されることになり、その湾曲部２５ａで囲まれた空間にＲＧＢの各放電セルを形成したもので、この隔壁２５間に排気通路２２が形成されている。
【００３７】
隔壁の端部や隔壁の角などは、隔壁形成工程において行われる焼成工程の際に収縮し、部分的な盛り上がりや凹みなどの変形を生じやすい。本実施の形態による構造とすることにより、焼成工程における変形による盛り上がりや凹みの発生等の不具合を低減することができる。
【００３８】
（実施の形態６）
図７は本発明の実施の形態６によるＰＤＰの放電セルを構成する隔壁を示す拡大図である。本実施の形態においては、上記実施の形態１による隔壁２１の構成において、隔壁２１に形成するスリット２３の深さを、隔壁２１の底部の誘電体層１１に達しない程度の深さとしたもので、この構造によって、隔壁２１の縦壁部２１ａと横壁部２１ｂとで囲まれた空間内に蛍光体層１３を形成する際に、隔壁２１に設けたスリット２３を通して蛍光体材料が流れ出て、アドレス電極１０の配列方向に隣接する放電セルを形成する隔壁２１に流れ込むのを防ぐことができ、隣接する放電セル間での蛍光体の混在を防ぐことができる。しかも、このような隔壁構造を用いた場合には、排気通路の領域に蛍光体を付着させることなく、スクリーン印刷等の技術を用いて、放電セル毎に蛍光体層１３を形成することが可能である。
【００３９】
【発明の効果】
以上のように本発明は、隔壁を前記放電セルを互いに分離するように格子状に形成するとともに、前記アドレス電極の長手方向の放電セル間に排気通路が設けられるように形成し、かつ前記隔壁の排気通路に面する部分にスリットを形成したもので、クロストークを抑制しつつ、排気コンダクタンスを確保することができ、これにより表示品位が良好で、しかも生産性と信頼性の高いＰＤＰを提供することができる。
【図面の簡単な説明】
【図１】本発明の実施の形態１によるプラズマディスプレイパネルの放電セル構造を示す平面図
【図２】同パネルの隔壁の構造を示す拡大図
【図３】本発明の実施の形態２によるプラズマディスプレイパネルの放電セル構造を示す平面図
【図４】本発明の実施の形態３によるプラズマディスプレイパネルの放電セル構造を示す平面図
【図５】本発明の実施の形態４によるプラズマディスプレイパネルの放電セル構造を示す平面図
【図６】本発明の実施の形態５によるプラズマディスプレイパネルの放電セル構造を示す平面図
【図７】本発明の実施の形態６によるプラズマディスプレイパネルの隔壁の構造を示す拡大図
【図８】一般的なプラズマディスプレイパネルを示す斜視図
【図９】同プラズマディスプレイパネルの放電セル部分の構成を示す平面図
【符号の説明】
１　前面パネル
２　背面パネル
３、９　基板
４　走査電極
５　維持電極
６　表示電極
１０　アドレス電極
１３　蛍光体層
２１、２５　隔壁
２２　排気通路
２３　スリット
２４　壁
【図１】
2004071283.tif 000003
【図２】
2004071283.tif 000004
【図３】
2004071283.tif 000005
【図４】
2004071283.tif 000006
【図５】
2004071283.tif 000007
【図６】
2004071283.tif 000008
【図７】
2004071283.tif 000009
【図８】
2004071283.tif 000010
【図９】
2004071283.tif 000011